(57)【要約】【課題】表示部の回動に伴う操作感の低減を抑制可能な電子機器、及び振動制御方法を提供すること。【解決手段】画像形成装置は、筐体１０Ａによって回動方向Ｄ１に回動可能に支持される操作表示部６と、操作表示部６の表示面６２１への操作を検出する操作検出部と、操作検出部によって表示面６２１への操作が検出された場合に表示面６２１を振動させる振動発生部と、水平面に対する操作表示部６の回動角度θを検出する検出処理部と、検出処理部によって検出される回動角度θに応じて、振動発生部により表示面６２１に与えられる振動の強度を変化させる振動制御部と、を備える。【選択図】図４
2018055408.tif 000002
【特許請求の範囲】
【請求項１】
水平方向に平行な回動軸で回動可能に支持される表示部と、
前記表示部の表示面への操作を検出する操作検出部と、
前記操作検出部によって前記表示面への操作が検出された場合に前記表示面を振動させる振動発生部と、
水平面に対する前記表示部の回動角度を検出する検出処理部と、
前記検出処理部によって検出される前記回動角度に応じて、前記振動発生部により前記表示面に与えられる振動の強度又は振動時間を変化させる振動制御部と、
を備える電子機器。
【請求項２】
前記振動制御部は、前記検出処理部によって検出される前記回動角度が大きいほど、前記振動発生部により前記表示面に与えられる振動を強くする、又は前記振動発生部により前記表示面に与えられる振動時間を長くする、
請求項１に記載の電子機器。
【請求項３】
前記表示部の裏面における照度を検出する照度検出部を更に備え、
前記検出処理部は、前記照度検出部による検出結果に基づいて前記回動角度を検出する、
請求項１又は２に記載の電子機器。
【請求項４】
前記表示部が自装置の筐体外面に対して開かれた状態で前記照度検出部によって検出される第１基準照度を取得する第１取得処理部と、
前記表示部が前記筐体外面に対して閉じられた状態で前記照度検出部によって検出される第２基準照度を取得する第２取得処理部と、を更に備え、
前記検出処理部は、前記第１基準照度と前記第２基準照度との差に対する前記照度検出部による検出結果と前記第２基準照度との差の比率に基づいて前記回動角度を検出する、
請求項３に記載の電子機器。
【請求項５】
原稿から画像データを読取可能な画像読取部、及び画像データに基づいて画像を形成可能な画像形成部のいずれか一方又は両方を備える、
請求項１〜４のいずれかに記載の電子機器。
【請求項６】
水平方向に平行な回動軸で回動可能に支持される表示部と、前記表示部の表示面への操作を検出する操作検出部と、前記操作検出部によって前記表示面への操作が検出された場合に前記表示面を振動させる振動発生部と、を備える電子機器で実行される振動制御方法であって、
水平面に対する前記表示部の回動角度を検出する検出ステップと、
前記検出ステップによって検出される前記回動角度に応じて、前記振動発生部により前記表示面に与えられる振動の強度又は振動時間を変化させる制御ステップと、
を含む振動制御方法。
【発明の詳細な説明】
【技術分野】
【０００１】
本発明は、表示部を備える電子機器、及び電子機器で実行される振動制御方法に関する。
【背景技術】
【０００２】
プリンターなどの電子機器は、液晶ディスプレーなどの表示部の表示面への操作を検出可能なタッチパネルのような操作検出部を備えることがある。この種の電子機器では、操作検出部によって表示面への操作が検出された場合に表示面が振動することで、表示面を操作するユーザーに操作感が付与されることがある（例えば、特許文献１参照）。
【先行技術文献】
【特許文献】
【０００３】
【特許文献１】国際公開第２００５／１１６８１１号
【発明の概要】
【発明が解決しようとする課題】
【０００４】
ところで、電子機器に設けられる表示部は、水平方向に平行な回動軸で回動可能に支持されることがある。ここで、表示部が回動されて水平面に対する表示面の傾斜角度が大きくなると、表示面が操作される際の表示面に対するユーザーの指の接触姿勢が変化して、表示面とユーザーの指との間の接触面積及び接触圧力が減少することがある。この場合、表示面が振動することでユーザーに付与される操作感が低減する。
【０００５】
本発明の目的は、表示部の回動に伴う操作感の低減を抑制可能な電子機器、及び振動制御方法を提供することにある。
【課題を解決するための手段】
【０００６】
本発明の一の局面に係る電子機器は、表示部と、操作検出部と、振動発生部と、検出処理部と、振動制御部と、を備える。前記表示部は、水平方向に平行な回動軸で回動可能に支持される。前記操作検出部は、前記表示部の表示面への操作を検出する。前記振動発生部は、前記操作検出部によって前記表示面への操作が検出された場合に前記表示面を振動させる。前記検出処理部は、水平面に対する前記表示部の回動角度を検出する。前記振動制御部は、前記検出処理部によって検出される前記回動角度に応じて、前記振動発生部により前記表示面に与えられる振動の強度又は振動時間を変化させる。
【０００７】
本発明の他の局面に係る振動制御方法は、水平方向に平行な回動軸で回動可能に支持される表示部と、前記表示部の表示面への操作を検出する操作検出部と、前記操作検出部によって前記表示面への操作が検出された場合に前記表示面を振動させる振動発生部と、を備える電子機器で実行され、検出ステップと、制御ステップとを含む。前記検出ステップでは、水平面に対する前記表示部の回動角度が検出される。前記制御ステップでは、前記検出ステップによって検出される前記回動角度に応じて、前記振動発生部により前記表示面に与えられる振動の強度又は振動時間が変化される。
【発明の効果】
【０００８】
本発明によれば、表示部の回動に伴う操作感の低減を抑制可能な電子機器、及び振動制御方法が実現される。
【図面の簡単な説明】
【０００９】
【図１】図１は、本発明の実施形態に係る画像形成装置の外観構成を示す図である。
【図２】図２は、本発明の実施形態に係る画像形成装置のシステム構成を示すブロック図である。
【図３】図３は、本発明の実施形態に係る画像形成装置の操作表示部の構成を示す図である。
【図４】図４は、本発明の実施形態に係る画像形成装置の操作表示部の構成を示す図である。
【図５】図５は、本発明の実施形態に係る画像形成装置で実行される基準光量取得処理の一例を示すフローチャートである。
【図６】図６は、本発明の実施形態に係る画像形成装置で実行される振動制御処理の一例を示すフローチャートである。
【図７】図７は、本発明の他の実施形態に係る画像形成装置の操作表示部の構成を示す図である。
【発明を実施するための形態】
【００１０】
以下、添付図面を参照しながら、本発明の実施形態について説明し、本発明の理解に供する。なお、以下の実施形態は、本発明を具体化した一例であって、本発明の技術的範囲を限定するものではない。
【００１１】
［画像形成装置１０の概略構成］
まず、図１及び図２を参照しつつ、本発明の実施形態に係る画像形成装置１０の概略構成について説明する。ここで、図１は画像形成装置１０の外観構成を示す斜視図である。なお、図１では、ＡＤＦ１が取り外された状態の画像形成装置１０が示されている。
【００１２】
画像形成装置１０は、原稿から画像データを読み取るスキャン機能、及び画像データに基づいて画像を形成するプリント機能と共に、ファクシミリ機能、及びコピー機能などの複数の機能を有する複合機である。ここに、画像形成装置１０が、本発明における電子機器の一例である。また、本発明は、スキャナー装置、プリンター装置、ファクシミリ装置、コピー機、冷蔵庫、及び洗濯機などの電子機器に適用可能である。
【００１３】
図１及び図２に示されるように、画像形成装置１０は、ＡＤＦ１、画像読取部２、画像形成部３、給紙部４、制御部５、及び操作表示部６を備える。画像読取部２、画像形成部３、給紙部４、及び制御部５は、画像形成装置１０の筐体１０Ａ（図１参照）内部に設けられる。ＡＤＦ１は、筐体１０Ａの上面に対して開閉可能に設けられる。操作表示部６は、筐体１０Ａの正面上部に設けられる。
【００１４】
ＡＤＦ１は、原稿セット部、複数の搬送ローラー、原稿押さえ、及び排紙部を備え、画像読取部２によって読み取られる原稿を搬送する自動原稿搬送装置である。画像読取部２は、原稿台、光源、複数のミラー、光学レンズ、及びＣＣＤ（Charge Coupled Device）を備え、原稿から画像データを読み取ることが可能である。
【００１５】
画像形成部３は、画像読取部２で読み取られた画像データ又は外部のパーソナルコンピューター等の情報処理装置から入力された画像データに基づいて、電子写真方式でカラー又はモノクロの画像を形成する画像形成処理（印刷処理）を実行可能である。具体的に、画像形成部３は、Ｃ（シアン）、Ｍ（マゼンタ）、Ｙ（イエロー）、及びＫ（ブラック）に対応する複数の画像形成ユニット、光走査装置（ＬＳＵ）、中間転写ベルト、二次転写ローラー、定着装置、及び排紙トレイを備える。そして、画像形成部３では、給紙部４から供給されるシートにカラー又はモノクロの画像が形成されて、画像形成後の前記シートが前記排紙トレイに排出される。なお、前記シートは、紙、コート紙、ハガキ、封筒、及びＯＨＰシートなどのシート材料である。
【００１６】
制御部５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性の記憶部である。前記ＥＥＰＲＯＭは、不揮発性の記憶部である。制御部５では、前記ＣＰＵにより前記ＲＯＭに予め記憶された各種の制御プログラムが実行される。これにより、画像形成装置１０が制御部５により統括的に制御される。なお、制御部５は、集積回路（ＡＳＩＣ）などの電子回路で構成されたものであってもよく、画像形成装置１０を統括的に制御するメイン制御部とは別に設けられた制御部であってもよい。
【００１７】
［操作表示部６の構成］
次に、図２〜図４を参照しつつ、操作表示部６について説明する。ここで、図３は操作表示部６の構成を示す平面模式図である。また、図４は操作表示部６の筐体１０Ａに対する取り付け状態を示す図である。
【００１８】
操作表示部６は、画像形成装置１０におけるユーザーインターフェイスである。
【００１９】
図１及び図４に示されるように、操作表示部６は、筐体１０Ａによって回動方向Ｄ１に回動可能に支持されている。具体的に、図４に示されるように、筐体１０Ａの正面には、操作表示部６を収容可能な凹部１０Ｂが設けられている。また、操作表示部６は、凹部１０Ｂに設けられた水平方向に平行な軸部１０Ｃ（本発明の回動軸の一例）によって回動可能に支持される。例えば、操作表示部６は、表示パネル６２が設けられた表面が水平面に対して垂直になる第１位置Ｐ１と、前記表面が水平面に対して平行になる第２位置Ｐ２との間を回動可能である。なお、操作表示部６は、第２位置Ｐ２に配置された状態で、凹部１０Ｂに収容される。ここに、操作表示部６が、本発明における表示部の一例である。
【００２０】
なお、図７に示されるように、操作表示部６が筐体１０Ａの上面に設けられる構成が他の実施形態として考えられる。
【００２１】
図２〜図４に示されるように、操作表示部６は、ハードキー６１、表示パネル６２、操作検出部６３、振動発生部６４、及び照度検出部６５を備える。
【００２２】
ハードキー６１は、ユーザーの操作に応じて制御部５に各種の情報を入力する。例えば、図３に示されるように、ハードキー６１は、電源キー６１１、スタートキー６１２、及びテンキー６１３等を含む。電源キー６１１は、画像形成装置１０の電源の投入又は遮断に用いられる。スタートキー６１２は、制御部５への前記印刷処理等の実行指示の入力に用いられる。テンキー６１３は、制御部５への数字情報等の入力に用いられる。
【００２３】
表示パネル６２は、画像形成装置１０の操作に用いられる操作画面を表示する。例えば、表示パネル６２は液晶ディスプレーである。図３に示されるように、表示パネル６２は、前記操作画面が表示される表示面６２１を有する。
【００２４】
操作検出部６３は、表示パネル６２の表示面６２１へのユーザーの操作を検出することが可能な所謂タッチパネルである。例えば、操作検出部６３は、静電容量方式によりユーザーの指などの操作体が表示面６２１に接触した場合における前記操作体と表示面６２１との接触位置を検出する。なお、操作検出部６３は、抵抗膜方式など、他の検出方式を用いて前記操作体と表示面６２１との接触を検出してもよい。
【００２５】
振動発生部６４は、操作検出部６３によって表示面６２１への操作が検出された場合に、表示面６２１を振動させる。これにより、画像形成装置１０では、表示面６２１を操作するユーザーに操作感が付与される。具体的に、振動発生部６４は、複数の振動源６４１を含む。複数の振動源６４１は、図３に示されるように、表示面６２１の周囲に配置される。例えば、振動源６４１は振動モーターである。
【００２６】
照度検出部６５は、操作表示部６の裏面における照度を検出する。例えば、照度検出部６５は、受光量に応じた電気信号を出力するフォトダイオードを含む電子回路である。図４に示されるように、照度検出部６５は、操作表示部６の裏面に設けられる。
【００２７】
ところで、操作表示部６が回動されて水平面に対する表示面６２１の傾斜角度が大きくなると、表示面６２１が操作される際の表示面６２１に対するユーザーの指の接触姿勢が変化して、表示面６２１とユーザーの指との間の接触面積及び接触圧力が減少することがある。例えば、水平面に対して平行な表示面６２１が、ユーザーにより操作される場合、ユーザーの指の腹の部分が表示面６２１に接触することが考えられる。一方、水平面に対して垂直な表示面６２１が、ユーザーにより操作される場合、ユーザーの指の先端部分が表示面６２１に接触することが考えられる。この場合、表示面６２１が振動することでユーザーに付与される操作感が低減する。これに対し、本発明の実施形態に係る画像形成装置１０では、以下に説明するように、操作表示部６の回動に伴う操作感の低減を抑制することが可能である。
【００２８】
具体的に、制御部５の前記ＲＯＭには、前記ＣＰＵに後述の基準光量取得処理（図５のフローチャート参照）、及び振動制御処理（図６のフローチャート参照）を実行させるための振動制御プログラムが予め記憶されている。なお、前記振動制御プログラムは、ＣＤ、ＤＶＤ、フラッシュメモリーなどのコンピューター読み取り可能な記録媒体に記録されており、前記記録媒体から読み取られて制御部５の前記ＥＥＰＲＯＭ等の記憶部にインストールされるものであってもよい。
【００２９】
そして、制御部５は、図２に示されるように、第１取得処理部５１、第２取得処理部５２、検出処理部５３、及び振動制御部５４を含む。具体的に、制御部５は、前記ＣＰＵを用いて前記ＲＯＭに記憶されている前記振動制御プログラムを実行する。これにより、制御部５は、第１取得処理部５１、第２取得処理部５２、検出処理部５３、及び振動制御部５４として機能する。
【００３０】
第１取得処理部５１は、操作表示部６が筐体１０Ａの外面に対して開かれた状態で、照度検出部６５によって検出される第１基準照度を取得する。例えば、第１取得処理部５１は、操作表示部６が第１位置Ｐ１（図４参照）に配置された状態で、前記第１基準照度を取得する。
【００３１】
第２取得処理部５２は、操作表示部６が筐体１０Ａの外面に対して閉じられた状態で、照度検出部６５によって検出される第２基準照度を取得する。例えば、第２取得処理部５２は、操作表示部６が第２位置Ｐ２（図４参照）に配置された状態で、前記第２基準照度を取得する。
【００３２】
なお、制御部５に、第１取得処理部５１及び第２取得処理部５２が含まれていなくてもよい。
【００３３】
検出処理部５３は、水平面に対する操作表示部６の回動角度θ（図４参照）を検出する。
【００３４】
例えば、検出処理部５３は、照度検出部６５による検出結果に基づいて回動角度θを検出する。例えば、検出処理部５３は、前記第１基準照度と前記第２基準照度との差に対する照度検出部６５による検出結果と前記第２基準照度との差の比率に基づいて、回動角度θを検出する。
【００３５】
例えば、検出処理部５３は、前記第１基準照度と前記第２基準照度との差に対する照度検出部６５による検出結果と前記第２基準照度との差の比率が０パーセントである場合、回動角度θが９０度であると判断する。また、検出処理部５３は、前記第１基準照度と前記第２基準照度との差に対する照度検出部６５による検出結果と前記第２基準照度との差の比率が１００パーセントである場合、回動角度θが０度であると判断する。
【００３６】
なお、検出処理部５３は、予め前記ＲＯＭに記憶された照度検出部６５により検出される照度と回動角度θとの対応関係を示すテーブルデータ及び照度検出部６５による検出結果に基づいて、回動角度θを検出してもよい。また、検出処理部５３は、照度検出部６５を用いることなく回動角度θを検出してもよい。例えば、画像形成装置１０が、照度検出部６５に替えて、回動角度θに応じた電気信号を出力する角度センサーを備えることが考えらえる。この場合、検出処理部５３は、前記角度センサーから出力される電気信号に基づいて回動角度θを検出する。
【００３７】
振動制御部５４は、検出処理部５３によって検出される回動角度θに応じて、振動発生部６４により表示面６２１に与えられる振動の強度又は振動時間を変化させる。
【００３８】
具体的に、振動制御部５４は、検出処理部５３によって検出される回動角度θが大きいほど、振動発生部６４により表示面６２１に与えられる振動を強くする。例えば、振動制御部５４は、検出処理部５３によって検出される回動角度θに応じて振動源６４１各々に供給される電流を変化させることで、振動発生部６４により表示面６２１に与えられる振動の強度を変化させる。また、振動制御部５４は、検出処理部５３によって検出される回動角度θに応じて駆動される振動源６４１の数を変化させることで、振動発生部６４により表示面６２１に与えられる振動の強度を変化させてもよい。
【００３９】
なお、振動制御部５４は、検出処理部５３によって検出される回動角度θが大きいほど、振動発生部６４により表示面６２１に与えられる振動時間を長くしてもよい。また、振動制御部５４は、検出処理部５３によって検出される回動角度θが大きいほど、振動発生部６４により表示面６２１に与えられる振動を強くすると共に、振動発生部６４により表示面６２１に与えられる振動時間を長くしてもよい。
【００４０】
［基準光量取得処理］
以下、図５を参照しつつ、画像形成装置１０において制御部５により実行される基準光量取得処理の手順の一例について説明する。ここで、ステップＳ１１、Ｓ１２・・・は、制御部５により実行される処理手順（ステップ）の番号を表している。なお、前記基準光量取得処理は、操作表示部６において前記基準光量取得処理の実行を指示するユーザー操作が行われた場合に実行される。
【００４１】
＜ステップＳ１１＞
まず、ステップＳ１１において、制御部５は、操作表示部６を回動させて操作表示部６を第１位置Ｐ１に配置するようユーザーに促す旨のメッセージを表示パネル６２に表示させる。
【００４２】
＜ステップＳ１２＞
ステップＳ１２において、制御部５は、操作表示部６が第１位置Ｐ１に配置されたか否かを判断する。例えば、制御部５は、ステップＳ１１でメッセージが表示された後に、操作検出部６３によって表示面６２１へのタップ操作が検出された場合に、操作表示部６が第１位置Ｐ１に配置されたと判断する。
【００４３】
ここで、制御部５は、操作表示部６が第１位置Ｐ１に配置されたと判断すると（Ｓ１２のＹｅｓ側）、処理をステップＳ１３に移行させる。また、操作表示部６が第１位置Ｐ１に配置されていなければ（Ｓ１２のＮｏ側）、制御部５は、ステップＳ１２で操作表示部６が第１位置Ｐ１に配置されるのを待ち受ける。
【００４４】
＜ステップＳ１３＞
ステップＳ１３において、制御部５は、照度検出部６５を用いて前記第１基準光量を取得する。ここで、ステップＳ１１〜ステップＳ１３までの処理は、制御部５の第１取得処理部５１により実行される。
【００４５】
＜ステップＳ１４＞
ステップＳ１４において、制御部５は、操作表示部６を回動させて操作表示部６を第２位置Ｐ２に配置するようユーザーに促す旨のメッセージを表示パネル６２に表示させる。
【００４６】
＜ステップＳ１５＞
ステップＳ１５において、制御部５は、操作表示部６が第２位置Ｐ２に配置されたか否かを判断する。例えば、制御部５は、ステップＳ１４でメッセージが表示された後に、操作検出部６３によって表示面６２１へのタップ操作が検出された場合に、操作表示部６が第２位置Ｐ２に配置されたと判断する。
【００４７】
ここで、制御部５は、操作表示部６が第２位置Ｐ２に配置されたと判断すると（Ｓ１５のＹｅｓ側）、処理をステップＳ１６に移行させる。また、操作表示部６が第２位置Ｐ２に配置されていなければ（Ｓ１５のＮｏ側）、制御部５は、ステップＳ１５で操作表示部６が第２位置Ｐ２に配置されるのを待ち受ける。
【００４８】
＜ステップＳ１６＞
ステップＳ１６において、制御部５は、照度検出部６５を用いて前記第２基準光量を取得する。ここで、ステップＳ１４〜ステップＳ１６までの処理は、制御部５の第２取得処理部５２により実行される。
【００４９】
なお、画像形成装置１０において、制御部５に第１取得処理部５１及び第２取得処理部５２が含まれていない場合には、前記基準光量取得処理は実行されない。
【００５０】
［振動制御処理］
次に、図６を参照しつつ、画像形成装置１０において制御部５により実行される振動制御処理の手順の一例と共に、本発明の振動制御方法について説明する。
【００５１】
＜ステップＳ２１＞
まず、ステップＳ２１において、制御部５は、操作表示部６が回動されたか否かを判断する。例えば、制御部５は、照度検出部６５により検出される照度が予め定められた閾値を超えて変化した場合に、操作表示部６が回動されたと判断する。
【００５２】
ここで、制御部５は、操作表示部６が回動されたと判断すると（Ｓ２１のＹｅｓ側）、処理をステップＳ２２に移行させる。また、操作表示部６が回動されていなければ（Ｓ２１のＮｏ側）、制御部５は、ステップＳ２１で操作表示部６が回動されるのを待ち受ける。
【００５３】
＜ステップＳ２２＞
ステップＳ２２において、制御部５は、水平面に対する操作表示部６の回動角度θを検出する。ここに、ステップＳ２２の処理が、本発明における検出ステップの一例であって、制御部５の検出処理部５３により実行される。
【００５４】
例えば、制御部５は、前記第１基準照度と前記第２基準照度との差に対する照度検出部６５による検出結果と前記第２基準照度との差の比率に基づいて、回動角度θを検出する。
【００５５】
＜ステップＳ２３＞
ステップＳ２３において、制御部５は、ステップＳ２２で検出される回動角度θに応じて、振動発生部６４により表示面６２１に与えられる振動の強度を変化させる。ここに、ステップＳ２３の処理が、本発明における制御ステップの一例であって、制御部５の振動制御部５４により実行される。
【００５６】
具体的に、制御部５は、ステップＳ２２で検出される回動角度θが大きいほど、振動発生部６４により表示面６２１に与えられる振動を強くする。例えば、制御部５は、ステップＳ２２で検出される回動角度θに応じて振動源６４１各々に供給される電流を変化させることで、振動発生部６４により表示面６２１に与えられる振動の強度を変化させる。
【００５７】
このように、画像形成装置１０では、操作表示部６の回動角度θに応じて、振動発生部６４により表示面６２１に与えられる振動の強度が変化される。これにより、水平面に対する操作表示部６の回動角度の増大に伴う操作感の低減を抑制することが可能である。
【００５８】
また、画像形成装置１０では、前記基準光量取得処理が実行されることで、画像形成装置１０の設置環境に応じた前記第１基準光量及び前記第２基準光量が取得される。これにより、画像形成装置１０の設置環境の変化に起因して検出処理部５３による回動角度θの検出精度が低下することが回避される。
【符号の説明】
【００５９】
１    ＡＤＦ
２    画像読取部
３    画像形成部
４    給紙部
５    制御部
６    操作表示部
１０  画像形成装置
１０Ａ  筐体
５１  第１取得処理部
５２  第２取得処理部
５３  検出処理部
５４  振動制御部
６１  ハードキー
６２  表示パネル
６３  操作検出部
６４  振動発生部
６５  照度検出部
６２１  表示面
【図１】
2018055408.tif 000003
【図２】
2018055408.tif 000004
【図３】
2018055408.tif 000005
【図４】
2018055408.tif 000006
【図５】
2018055408.tif 000007
【図６】
2018055408.tif 000008
【図７】
2018055408.tif 000009